(57)【要約】      （修正有）【課題】上、下仕切り板が揺れ動くことで変形する恐れを避け、ラックの使用安定性を大幅に向上し、消費者の使用に役立つラックの折り畳み構造を提供する。【解決手段】ラックの折り畳み構造は、二つの連接部分及びラックを含む。二つの連接部分１０はラックの第一、第二フレーム２１、２２の間に設置され、第一、第二フレームの上仕切り板２１１及び下仕切り板の間はすべて可動翼板２３によって、連接部分の連接管１１に制御可能に枢接される。上、下仕切り板は連接管を中心にして展開又は折り畳まれ、調整部１２を利用して連接管に沿って位置移動する。さらに、接近部材１３は連接管を制限して位置を限定し、第一、第二フレームを水平展開状態に固定する。可動翼板２３はラック展開時には当接部２３２によって連接管の両側に当てられて折り畳みを制限する。【選択図】図３
0003217136.tif 000002
【実用新案登録請求の範囲】
【請求項１】
二つの連接部分とラックとを含むラックの折り畳み構造であって、
上記二つの連接部分は、それぞれ連接管と調整部とを有し、上記調整部はスライド可能に上記連接管に嵌められ、また上記調整部の外側に開口が形成され、さらに上記開口にシャフトボルトにより接近部材が枢接され、そして上記シャフトボルトによって軸心が形成されることによって接近部材が捻られると作動し、上記接近部材の内壁には支点およびプレス部があり、上記連接管を接近させ固定する目的が果たされ、また上記調整部の両側に二つの連接板がお互いに対称になるように設けられ、上記二つの連接板にはそれぞれ連動棒がスライド可能に枢接され、
上記ラックは第一フレーム及び第二フレームがあり、上記第一、第二フレームに少なくとも上仕切り板と下仕切り板があり、上記第一、第二フレームすべての外側に上記上、下仕切り板を縦方向に連接する二つの支持棒が設けられ、上記第一、第二フレームの内側は互いに合わせ、そして二つの上仕切り板の間及び二つの下仕切り板の間にすべて互いに対称になる可動翼板が設けられ、上記可動翼板はすべて互いに重ね合う枢接部及び互いに平行する二つの当接部があり、さらにそれぞれ上記枢接部によって上記第一、第二フレームを連接管に組み立てられ、また上記二つの上仕切り板の間の可動翼板は二つの外側に貫通孔が設けられ、そして上記二つの貫通孔によって上記調整部の両側の二つの連動棒が栓接されることを特徴とするラックの折り畳み構造。
【請求項２】
上記二つの連接部分の連接管は、それぞれの上端に逆Ｌ形の上ストップ板があることを特徴とする請求項１に記載のラックの折り畳み構造。
【請求項３】
上記第一、第二フレームの外側の支持棒の底端にそれぞれタイヤが設けられ、滑走に適する状態にすることを特徴とする請求項１に記載のラックの折り畳み構造。
【請求項４】
上記第一フレームの二つの支持棒の間に一体成型された持ち手があることを特徴とする請求項１に記載のラックの折り畳み構造。
【請求項５】
上記第一、第二フレームが互いに合わせる内側の上記上、下仕切り板の間はそれぞれ複数の互い違いする位置限定円弧板が設けられ、それぞれ軸棒を上記位置限定円弧板の間に挿して制限させることで、上記二つの上仕切り板及び上記二つの下仕切り板が上記軸棒を中心に回転作動することを特徴とする請求項１に記載のラックの折り畳み構造。
【考案の詳細な説明】
【技術分野】
【０００１】
本考案はラックに関し、特にラックの折り畳み構造に関する。
【背景技術】
【０００２】
現在市販されるラックの形、種類が多いが、そのほとんどは固定形態の構造設計が主である。一般的な固定式ラックは多数の部品が分散に梱包され、使用者が購入後に自分で組み立てるために提供される。運搬手間、梱包体積を減少できるが、使用者が時間をかけて組み立てないといけないため時間がかかり、面倒な以外に、しばらく使用しない場合、折り畳んで収納できない上、スペースを取るといった欠点がある。
【０００３】
上述の欠点を改善するにあたって、折り畳み形態のラック構造設計は使用者に広く受け入れられている。図１４に示されるのは、現在における伝統的な折り畳みラックであり、上記ラック３０は外管３１に内管３２を挿し込む方式によって、伸縮調整状態に達する。上記内管３２に折り畳められる仕切り板３３が組接され、また上記外管３１にはロックリング３１１があり、そして制御レバー３１２を経由してロックするように連動し、上記内管３２の上端にはロック部３２１が設けられる。上記内管３２が上記外管３１内に滑り込んで、仕切り板３３を水平状にさせた時、制御レバー３１２を利用して、ロックリング３１１を上記内管３２のロック部３２１に嵌め合わせて固定させ、次第に上記ラック３０を立たせて使用される。逆に、上記ラック３０を折り畳んで収納したい時、先に上記ロックリング３１１を上記内管３２のロック部３２１より外させ、上記内管３２が上記外管３１に沿って上へと引っ張られて位置移動し、次第に上記仕切り板３３が連動して下へ畳まれた状態になり、ラック３０の折り畳み形態になる。
【０００４】
上述より、伝統的な折り畳み式ラックは固定式ラックより便利であるが、伝統的な折り畳み式ラックは畳む時における不便さが依然として存在し、いかに畳む際の利便性を向上させるのが重要な設計課題となる。
【０００５】
従って、本考案者は長年にわたって関係商品の製造開発と設計経験により、上述の目標について、詳しく設計し慎重に評価した結果、実用性に満ちた本考案を得た。
【考案の概要】
【考案が解決しようとする課題】
【０００６】
本考案が解決しようとする課題は、従来技術に存在する上述の欠点を解決し、ラックの折り畳み構造を提供することである。
【課題を解決するための手段】
【０００７】
本考案のラックの折り畳み構造は、二つの連接部分及びラックを含む。上記二つの連接部分はそれぞれ連接管と調整部があり、上記調整部はスライド可能に上記連接管に嵌められ、また上記調整部の外側に開口が形成され、さらに上記開口にシャフトボルトにより接近部材が枢接され、そして上記シャフトボルトによって軸心が形成されることによって接近部材が捻られると作動する。上記接近部材の内壁には支点およびプレス部があり、上記連接管を接近させて固定する目的が果たされる。また上記調整部の両側に対称に二つの連接板が設けられ、上記二つの連接板にはそれぞれ連動棒がスライド可能に枢接される。上記ラックは第一フレーム及び第二フレームがあり、上記第一、第二フレームに少なくとも上仕切り板と下仕切り板があり、また上記第一、第二フレームの外側にすべて上記上、下仕切り板を縦方向に連接する二つの支持棒が設けられる。上記第一、第二フレームの内側は互いに合わせられ、二つの上仕切り板の間及び二つの下仕切り板の間にすべて互いに対称する可動翼板が設けられる。上記可動翼板はすべて互いに重ね合う枢接部及び互いに平行する二つの当接部がある。さらにそれぞれ上記枢接部によって連接管に組み立てされる。また上記二つの上仕切り板の間の可動翼板は二つの外側に貫通孔が設けられ、そして上記二つの貫通孔によって上記調整部の両側の二つの連動棒が栓接される。これによって、ラックの折り畳み構造が構成される。
【０００８】
好ましくは、上記二つの連接部分の連接管は、それぞれの上端に逆Ｌ形の上ストップ板である。
【０００９】
好ましくは、上記第一、第二フレームの外側の支持棒の底端にすべてタイヤが設けられ、滑走に適する状態にする。
【００１０】
好ましくは、上記第一フレームの二つの支持棒の間に一体成型された持ち手がある。
【００１１】
好ましくは、上記第一、第二フレームと互いに合わせる内側の上記上、下仕切り板の間はすべて複数の互い違いする位置限定円弧板が設けられ、すべて軸棒を利用してこれらの位置限定円弧板の間に挿して制限させることで、上記二つの上仕切り板及び上記二つの下仕切り板が上記軸棒を中心に回転作動する。
【００１２】
従来技術の効果と比較すると：上記二つの連接部分は上記ラックの第一、第二フレームの間に設置され、また上記第一、第二フレームの上仕切り板及び下仕切り板の間はすべて可動翼板によって、上記連接部分の連接管に制御可能に枢接されることで、上記上、下仕切り板は上記二つの連接部分の連接管を中心にして展開又は折り畳み、また調整部を利用して上記連接管に沿って位置移動する。次第に接近部材によって連接管を制限して位置限定し、上記第一、第二フレームが水平展開の固定状態に達す。また、これらの可動翼板はラックにおいて展開する時は当接部によって連接管の両側に当てられて制限されるため、上、下仕切り板が揺れ動いて変形する恐れを避け、ラックの使用安定性を大幅に向上し、消費者の使用に役立つ。
【図面の簡単な説明】
【００１３】
【図１】本考案に係るラックの折り畳み構造を示す立体図である。
【図２】本考案に係るラックの折り畳み構造を示す分解図である。
【図３】本考案の連接部分の局部分解図である。
【図４】本考案に係るラックの折り畳み構造を示す前視図である。
【図５】本考案の前視図の局部拡大を示す状態図である。
【図６】本考案のもう一つの実施例の立体図である。
【図７】本考案の調整部が接近して位置限定することを示す状態図である。
【図８】本考案の調整部が接近して位置限定することから外したことを示す状態図である。
【図９】本考案の調整部は連接管に沿って下へ滑ることを示す状態図である。
【図１０】本考案に係るラックの折り畳み構造が折り畳んだ状態を示す状態図である。
【図１１】本考案のラックのもう一つの実施例の分解図である。
【図１２】本考案のラックのもう一つの実施例の展開状態を示す状態図である。
【図１３】本考案のラックのもう一つの実施例の折り畳んだ状態を示す状態図である。
【図１４】従来技術を示す状態図である。
【考案を実施するための形態】
【００１４】
本考案の目的、特徴及び効果をさらに明確に理解させるために、[図面の簡単な説明]と合わせて以下のように詳細に説明する。まず、図１、図２と図３を参照されたい。本考案のラックの折り畳み構造は、二つの連接部分１０及びラック２０を含む。上記二つの連接部分１０はすべて連接管１１と調整部１２がある。上記連接管１１のそれぞれの上端に逆Ｌ形の上ストップ板１１１があり、上記調整部１２はスライド可能に上記連接管１１に嵌められ、また上記調整部１２の外側に開口１２１が形成され、さらに上記開口１２１にシャフトボルト１２２により接近部材１３が枢接され、そして上記シャフトボルト１２２によって軸心が形成されることによって、接近部材１３が捻られると作動する。上記接近部材１３の内壁には支点１３１およびプレス部１３２があり、上記連接管１１を接近させて固定する目的が果たされる。また上記調整部１２の両側にお互いに対称になるように二つの連接板１２３が設けられ、上記二つの連接板１２３はすべてスライド可能に連動棒１２４が枢接される。上記ラック２０は第一フレーム２１及び第二フレーム２２があり、上記第一、第二フレーム２１、２２に少なくとも上仕切り板２１１、２２１と下仕切り板２１２、２２２があり、そして上、下仕切り板２１１、２１２（２２１、２２２）の間はラック２０の配置によって仕切り板の枚数を増やせる。上記第一、第二フレーム２１、２２すべての外側に上記上、下仕切り板２１１、２１２（２２１、２２２）を縦方向に連接する二つの支持棒２１３、２２３が設けられる。上記第一、第二フレーム２１、２２の内側は互いに合わせられ、二つの上仕切り板２１１、２２１の間及び二つの下仕切り板２１２、２２２の間にすべて互いに対称になる可動翼板２３が設けられる。上記可動翼板２３はすべて互いに重ね合う枢接部２３１及び互いに平行する二つの当接部２３２がある。さらにそれぞれ上記枢接部２３１によって上記第一、第二フレーム２１、２２を連接管１１に組み立てされる。また上記二つの上仕切り板２１１、２２１の間の可動翼板２３は二つの外側に貫通孔２３３が設けられ、そして上記二つの貫通孔２３３によって上記調整部１２の両側の二つの連動棒１２４が栓接される。
【００１５】
その構造の組み立てについては引き続き図１〜図５を参照されたい。上記二つの連接部分１０はすべて上記連接管１１によって調整部１２が嵌められるため、上記調整部１２を上記連接管１１に沿って上下に位置移動できる。さらに上記二つの連接部分１０を上記ラック２０の第一、第二フレーム２１、２２の間に組み立てさせ、上記第一、第二フレーム２１、２２の上仕切り板２１１、２２１は可動翼板２３の間にある枢接部２３１によって連接管１１の上半部に組み立てられる。さらに二つの当接部２３２を上記連接管１１の両側に位置させ、同時に上記可動翼板２３によって外側の貫通孔２３３と上記調整部１２の連動棒１２４と栓接させる。上記第一、第二フレーム２１、２２の下仕切り板２１２、２２２は可動翼板２３の間の枢接部２３１によって連接管１１の下半部に組み立てられる。さらに二つの当接部２３２を上記連接管１１の両側に位置させ、上記第一、第二フレーム２１、２２の上、下仕切り板２１１、２１２（２２１、２２２）の間はすべて可動翼板２３の枢接部２３１を軸心にして上下に捻って作動させる。また上記上、下仕切り板２１１、２１２（２２１、２２２）が上記可動翼板２３に伴って上へ捻られる時、上記可動翼板２３の両者が互いに平行する当接部２３２は上記連接管１１の両側に当てて制限され、上記上、下仕切り板２１１、２１２（２２１、２２２）が水平状にされ、さらに上記連接管１１と垂直になるように位置限定される。可動翼板２３を捻って作動させることによって上記ラック２０の第一、第二フレーム２１、２２を折り畳むという目的を達する。上述の構造によって、ラックの折り畳みカードの構造が完成される。
【００１６】
その構造のもう一つの実施例については引き続き図６を参照されたい。上記ラック２０の第一、第二フレーム２１、２２は外側の支持棒である。
【００１７】
２１３、２２３の底端にすべてタイヤ２４が設けられ、滑走に適する状態にされている。上記第一フレーム２１の二つの支持棒２１３の間に一体成型された持ち手２１４がある。
【００１８】
その構造の実際の使用状態は引き続き図１、３に合わせて図４、５、７を参照されたい。上記ラック２０が広げられて使用される時、上記第一、第二フレーム２１、２２にある二つの上仕切り板２１１、２２１及び上記二つの下仕切り板２１２、２２２は上へ捻られて水平状になり、そしてこれらの可動翼板２３を連動して枢接部２３１を軸心として捻って作動させる。上記連接管１１の上半部の二つの上仕切り板２１１、２２１は同時に可動翼板２３によって二つの連動棒１２４を連動させて、上記調整部１２を上記連接管１１に沿って上へと滑って移動する。最後は調整部１２の接近部材１３を開口１２１方向に向かって捻って作動させ、先に上記支点１３１を上記連接管１１の内壁にぴったり接近させ、さらに上記プレス部１３２によって連接管１１に加圧して迫らせる。これによって上記調整部１２の位置を制限し、これらの可動翼板２３が再び捻られて移動されることを防止する。またこれらの可動翼板２３はさらに互いに平行する二つの当接部２３２により上記連接管１１の両側に当てられることによって、上記二つの上、下仕切り板２１１、２１２（２２１、２２２）の位置を限定する。第一、第二フレーム２１、２２の間はさらに二つ外側の支持板２１３、２２３によって立てられて支持され、確実に上、下仕切り板２１１、２１２（２２１、２２２）を水平状態に達させ、物を置いたり、収納したりする使用目的に達する。
【００１９】
逆に、上記ラック２０構造は使用後に折り畳んで収納したい時、さらに図７〜図１０を参照されたい。まず上記調整部１２の接近部材１３を外側へ捻って回転させることで、上記連接管１１を接近部材１３の位置限定状態より離脱させ、さらに上記調整部１２を上記連接管１１に沿って下へと位置移動できる。この時、上記第一、第二フレーム２１、２２の上仕切り板２１１、２２１は下へと力を入れて捻って畳むことができる。さらに二つの外側の支持棒２１３、２２３を上記二つの下仕切り板２１２、２２２を連動して一緒に内側へと畳むことで、上記ラック２０を折り畳むことが実現される。それに畳んだ後は概ね逆Ｖ字型であり、構造の体積を大幅に抑えられ、さらに直接に地面に立たせられるので、構造収納の利便性が向上される。
【００２０】
ラック２０のもう一つの実施例は、引き続き図１１〜図１３を参照されたい。上記第一、第二フレーム２１、２２と互いに合わせる内側の上記二つの上、下仕切り板２１１、２１２（２２１、２２２）の間にすべて複数の互い違いする位置限定円弧板２１５、２２４が設けられ、そしてすべては軸棒２５をこれらの位置限定円弧板２１５、２２４の間に挿して制限させることで、上記二つの上仕切り板２１１、２２１の間及び上記二つの下仕切り板２１２、２２２の間は上記軸棒を中心に回転して作動し、上記第一、第二フレーム２１、２２の間の組み立て安定性を向上させ、収納、展開の使用状態に達する。
【００２１】
上述の具体的な実施例の構造によると、以下の効果が得られる。上記二つの連接部分１０は上記ラック２０の第一、第二フレーム２１、２２の間に設置され、また上記第一、第二フレーム２１、２２の上仕切り板２１１、２２１及び下仕切り板２１２、２２２の間はすべて可動翼板２３によって、上記連接部分１０の連接管１１に制御可能に枢接されることで、上記上、下仕切り板２１１、２１２（２２１、２２２）は上記二つの連接部分１０の連接管１１を中心にして展開又は折り畳み、また調整部１２を利用して上記連接管１１に沿って位置移動する。次第に接近部材１３によって連接管１１を制限して位置限定し、上記第一、第二フレーム２１、２２が水平展開の固定状態に達する。また、これらの可動翼板２３はラック２０において展開する時は当接部２３２によって連接管１１の両側に当てられて制限されるため、上、下仕切り板２１１、２１２（２２１、２２２）が揺れ動いて変形する恐れを避け、ラック２０の使用安定性を大幅に向上し、消費者の使用に役立つ。
【００２２】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２３】
１０        連接部分
１１        連接管
１１１      上ストップ板
１２        調整部
１２１      開口
１２２      シャフトボルト
１２３      連接板
１２４      連動棒
１３        接近部材
１３１      支点
１３２      プレス部
２０        ラック
２１        第一フレーム
２１１      上仕切り板
２１２      下仕切り板
２１３      支持棒
２１４      持ち手
２１５      位置限定円弧板
２２        第二フレーム
２２１      上仕切り板
２２２      下仕切り板
２２３      支持棒
２２４      位置限定円弧板
２３        可動翼板
２３１      枢接部
２３２      当接部
２３３      貫通孔
２４        タイヤ
２５        軸棒
（従来技術）
３０        ラック
３１        外管
３１１      ロックリング
３１２      制御レバー
３２        内管
３２１      ロック部
３３        仕切り板
【図１】
0003217136.tif 000003
【図２】
0003217136.tif 000004
【図３】
0003217136.tif 000005
【図４】
0003217136.tif 000006
【図５】
0003217136.tif 000007
【図６】
0003217136.tif 000008
【図７】
0003217136.tif 000009
【図８】
0003217136.tif 000010
【図９】
0003217136.tif 000011
【図１０】
0003217136.tif 000012
【図１１】
0003217136.tif 000013
【図１２】
0003217136.tif 000014
【図１３】
0003217136.tif 000015
【図１４】
0003217136.tif 000016